(57)【要約】【課題】開蓋したものは確実に判別でき、興趣に富み、開蓋操作が簡単に、スムーズに、楽しく行え、蓋部自体の構成が簡素で、蓋部による閉塞状態がより安定し、構成簡素で、組立て簡単で、取扱い易く、量産に適し、経済的な組立包装箱を提供する。【解決手段】蓋部は、左右側板２、４の上端縁に夫々連設する折曲片７、８と、背面板３の上端縁に連設する天板６とを備え、正面板１の上端部中央部分に、破断予定線３２によって区画した除去片１ａを形成し、天板６の前端縁中央に除去片１ａより小さい摘み片６ａを連設し、天板６の前端縁左右に差込片１０を連設し、差込片１０が正面板１の裏面がわ上部に位置し、摘み片６ａが除去片１ａの裏面がわに位置し、除去片１ａを除去すると、摘み片６ａが外部に露出し、手指で摘んだ状態のまま摘み片６ａを上方に強制移動せしめることで、天板６が上方に揺動して、胴部の上部開口部分を開放できるよう構成する。【選択図】図１
0003150880.tif 000002
【実用新案登録請求の範囲】
【請求項１】
四角筒状となる胴部と、この胴部の下部開口部分を閉鎖する底部と、胴部の上部開口部分を閉鎖する蓋部とからなる紙製の組立包装箱であって、胴部は、正面板と背面板と左右側板とを備え、蓋部は、左右側板の上端縁に夫々連設される折曲片と、背面板の上端縁に連設される天板とを備え、正面板の上端部中央部分には、破断予定線によって区画される除去片を形成し、天板の前端縁中央には、除去片より小さい摘み片を連設し、天板の前端縁左右には、折目線を介して差込片を連設し、蓋部は、天板が左右の折曲片の上に重なって胴部の上部開口部分を塞ぐように配されて、差込片が正面板の裏面がわ上部に配されると共に、摘み片が除去片の裏面がわに配されるように形成し、破断予定線を利用して除去片を除去すると、摘み片が外部に露出するように形成し、この摘み片は、外がわに揺動させることにより手指で摘めるように形成され、摘み片を摘んだ状態のままこれを上方に強制移動せしめることで、天板が上方に揺動して、胴部の上部開口部分を開放できるように構成したことを特徴とする組立包装箱。
【請求項２】
正面板の上端縁に破断予定線及び切込線を介して上天板を連設し、この上天板の後端縁に差込片を連設し、この差込片を、背面板と天板とを連設する折目線の中央部分に形成した差込用切込線に差込むことにより、上天板が天板の上に重なるように配され、除去片を除去して摘み片を外部に露出させると共に、摘み片を外がわに揺動させ、摘み片を手指で摘んだ状態のままこれを上方に強制移動せしめたときに、天板が上方に揺動すると共に、上天板が破断予定線で破断されて、胴部の上部開口部分を開放できるように構成したことを特徴とする請求項１記載の組立包装箱。
【請求項３】
正面板の上端縁に折目線を介して折返片を連設すると共に、この折返片は正面板の裏面がわに重なるように折返され、折返片の上端縁中央部分には、刳り抜き部を形成し、この刳り抜き部を介して、摘み片が除去片の裏面がわに配されるように構成したことを特徴とする請求項１記載の組立包装箱。
【請求項４】
天板の前端縁中央に除去片より小さい摘み片を連設すると共に、天板の前端縁左右には摘み片を囲むような溝形状の差込片を連設したことを特徴とする請求項１または請求項２または請求項３記載の組立包装箱。
【考案の詳細な説明】
【技術分野】
【０００１】
本考案は、例えば、化粧品や、薬品や、ドリンク剤や、その他の適宜商品を収納できると共に、店頭等に陳列もできる組立包装箱に係り、いたずらや不注意等によって開蓋されたものについては確実に判別できるようにすると共に、開蓋操作がより行い易くなるようにし、更に、一旦開蓋された蓋部によって上部開口部分を繰返し閉じることもでき、しかも、構成が簡素で、取扱い易く、経済的で、興趣に富んだ開蓋操作が楽しく行えるように工夫した組立包装箱に関するものである。
【背景技術】
【０００２】
従来、この種の組立包装箱にあっては、種々のものが提供されており、例えば、特許文献１に示すような包装用箱が開示されている。
これは、シート体を折り曲げて開口部の蓋を形成している包装用箱において、上記蓋が閉じられた状態で蓋と接している箱体周面の端縁部に、この箱体形成部材の一部を容易に分離可能に設けられた切込部を形成し、この切込部に連接して切込部で囲まれる部分の箱体形成部材を分離不能に保持する接続部を設けたものである。
しかも、この包装用箱は、商品を取り出す際、切込に親指等を当てて押し込み、切込を利用して開口部を形成し、更に指を入れ、その状態で上蓋を上方に開けようとすると、フラップの切込が破れて、フラップの一部が切込によって分離され、上蓋が開くように構成されたものである。
そして、前述の如き組立包装箱によれば、切込に親指等を当てて押し込んだ後に、指先を開口部にある程度深く押し込まないと上蓋に指先を掛けることができず、上蓋をスムーズに開くことができない難点があった。しかも、切込に親指等を当てて押し込む際の力加減が判り難く、勢い良く親指を押し込んでしまった場合は、爪の生え際部分を切込縁で擦ってしまう虞等もあった。
【０００３】
そこで、本願考案者らは、前述の如き難点等を解消できるようにすべく特許文献２の如き組立包装箱を提供して、いたずらや不注意等によって開蓋されたものについては確実に判別でき、開蓋操作がより行い易く、興趣に富んだ開蓋操作が楽しく行え、しかも、構成が簡素で、組立てが簡単で、量産に適し、経済的となるような優れた効果が期待できるようにした。
【先行技術文献】
【特許文献】
【０００４】
【特許文献１】実開平４−５３６１８号公報
【特許文献２】特開２００８−２７３５７６公報
【考案の概要】
【考案が解決しようとする課題】
【０００５】
しかしながら、本願考案者らは、前述の如き組立包装箱に満足することなく、研究開発を継続していたもので、いたずらや不注意等によって開蓋されたものについては確実に判別でき、開蓋操作がより行い易く、興趣に富んだ開蓋操作が楽しく行え、しかも、より構成が簡素となり、取扱い易く、組立てが簡単で、量産に適し、経済的となるようなより優れた組立包装箱を、この度案出したものである。
【課題を解決するための手段】
【０００６】
しかして、前述の如き課題を達成できるようにすべく、本考案の請求項１記載の組立包装箱にあっては、四角筒状となる胴部と、この胴部の下部開口部分を閉鎖する底部と、胴部の上部開口部分を閉鎖する蓋部とからなる紙製の組立包装箱であって、胴部は、正面板１と背面板３と左右側板２、４とを備え、蓋部は、左右側板２、４の上端縁に夫々連設される折曲片７、８と、背面板３の上端縁に連設される天板６とを備え、正面板１の上端部中央部分には、破断予定線３２によって区画される除去片１ａを形成し、天板６の前端縁中央には、除去片１ａより小さい摘み片６ａを連設し、天板６の前端縁左右には、折目線３４を介して差込片１０を連設し、蓋部は、天板６が左右の折曲片７、８の上に重なって胴部の上部開口部分を塞ぐように配されて、差込片１０が正面板１の裏面がわ上部に配されると共に、摘み片６ａが除去片１ａの裏面がわに配されるように形成し、破断予定線３２を利用して除去片１ａを除去すると、摘み片６ａが外部に露出するように形成し、この摘み片６ａは、外がわに揺動させることにより手指で摘めるように形成され、摘み片６ａを摘んだ状態のままこれを上方に強制移動せしめることで、天板６が上方に揺動して、胴部の上部開口部分を開放できるように構成する手段を採用した。
【０００７】
また、請求項２記載の組立包装箱にあっては、正面板１の上端縁に破断予定線３１及び切込線３１ａを介して上天板９を連設し、この上天板９の後端縁に差込片９ａを連設し、この差込片９ａを、背面板３と天板６とを連設する折目線３０の中央部分に形成した差込用切込線３３に差込むことにより、上天板９が天板６の上に重なるように配され、除去片１ａを除去して摘み片６ａを外部に露出させると共に、摘み片６ａを外がわに揺動させ、摘み片６ａを手指で摘んだ状態のままこれを上方に強制移動せしめたときに、天板６が上方に揺動すると共に、上天板９が破断予定線３１で破断されて、胴部の上部開口部分を開放できるように構成する手段を採用した。
【０００８】
更に、請求項３記載の組立包装箱にあっては、正面板１の上端縁に折目線３０を介して折返片１１を連設すると共に、この折返片１１は正面板１の裏面がわに重なるように折返され、折返片１１の上端縁中央部分には、刳り抜き部１１ａを形成し、この刳り抜き部１１ａを介して、摘み片６ａが除去片１ａの裏面がわに配されるように構成する手段を採用した。
【０００９】
そして、請求項４記載の組立包装箱にあっては、天板６の前端縁中央に除去片１ａより小さい摘み片６ａを連設すると共に、天板６の前端縁左右には摘み片６ａを囲むような溝形状の差込片１０ａを連設する手段を採用した。
【考案の効果】
【００１０】
従って、本考案の請求項１記載の組立包装箱によれば、いたずらや不注意等によって開蓋されたものについては、破断予定線３２が破断するようになるため、確実に判別できるようになる。更に、開蓋操作が指等を損傷することなく簡単に且つスムーズに行えるようになる。しかも、構成が簡素で、組立てが簡単で、取扱い易く、量産に適し、経済的な組立包装箱となる。
【００１１】
更に、破断予定線３２を利用して除去片１ａを除去すると、摘み片６ａが外部に露出するように形成し、この摘み片６ａは、外がわに揺動させることにより手指で摘めるように形成され、摘み片６ａを摘んだ状態のままこれを上方に強制移動せしめることで、天板６が上方に揺動して、胴部の上部開口部分を開放できるように構成したので、開蓋操作が興趣に富んだものとなり、開蓋操作を楽しく行えるようになる。しかも、露出した摘み片６ａは外がわに揺動させられるので、これを手指で確実に且つ容易に摘むことができるようになり、天板６を上方に確実に揺動せしめられるようになる。
【００１２】
特に、蓋部は、左右側板２、４の上端縁に夫々連設される折曲片７、８と、背面板３の上端縁に連設される天板６とを備え、蓋部は、天板６が左右の折曲片７、８の上に重なって胴部の上部開口部分を塞ぐように配されて、差込片１０が正面板１の裏面がわ上部に配されると共に、摘み片６ａが除去片１ａの裏面がわに配されるように形成したので、蓋部自体の構成がより簡素となり、一旦開蓋された蓋部によって胴部の上部開口部分を繰返し閉じることができるようになると共に、蓋部によって上部開口部分を再び閉じた状態を確実に維持できるようになる。
加えて、天板６の前端縁左右には、折目線３４を介して差込片１０を連設してあるので、蓋部により胴部の上部開口部分を閉じた状態がより安定するようになる。
【００１３】
また、本考案の請求項２記載の組立包装箱によれば、いたずらや不注意等によって開蓋されたものについては、破断予定線３１、３２が破断するようになるため、確実に判別できるようになる。
特に、正面板１の上端縁に破断予定線３１及び切込線３１ａを介して上天板９を連設し、この上天板９の後端縁に差込片９ａを連設し、この差込片９ａを、背面板３と天板６とを連設する折目線３０の中央部分に形成した差込用切込線３３に差込むことにより、上天板９が天板６の上に重なるように配されているので、蓋部自体がより堅牢となると共に、蓋部によって胴部の上部開口部分をより確実に閉塞できるようになる。
【００１４】
更に、本考案の請求項３記載の組立包装箱によれば、折返片１１によって正面板１の上端縁部分及び正面板１部分の強度及び剛性が高くなり、より堅牢な組立包装箱となる。
しかも、刳り抜き部１１ａを設けたことで、摘み片６ａを除去片１ａの裏面がわに配せるようになる。
【００１５】
そして、本考案の請求項４記載の組立包装箱によれば、差込片１０ａ自体を一体的に形成できるようになり、取扱い易くなって、胴部の上部開口部分への差込片１０ａの差込みが簡単に行えるようになる。
【図面の簡単な説明】
【００１６】
【図１】本考案の組立包装箱を例示する展開図である。
【図２】本考案の組立包装箱を例示する斜視図である。
【図３】本考案の組立包装箱の蓋部を開ける状態（除去片１ａを除去して、摘み片６ａを折り起こした状態）を例示する斜視図である。
【図４】本考案の組立包装箱の蓋部を開けた状態を例示する斜視図である。
【図５】本考案の組立包装箱の蓋部を開ける状態（除去片１ａを除去して、摘み片６ａを折り起こした状態）を例示する縦断側面図である。
【図６】本考案の組立包装箱の蓋部を開けた状態を例示する縦断側面図である。
【図７】本考案の他の組立包装箱を例示する部分展開図である。
【図８】本考案の他の組立包装箱の蓋部を開けた状態を例示する部分斜視図である。
【図９】本考案の他の組立包装箱を例示する展開図である。
【図１０】本考案の他の組立包装箱を例示する斜視図である。
【図１１】本考案の他の組立包装箱を例示する縦断側面図である。
【図１２】本考案の他の組立包装箱の蓋部を開ける状態（除去片１ａを除去して、摘み片６ａを折り起こした状態及び天板を開けた状態）を例示する縦断側面図である。
【考案を実施するための形態】
【００１７】
以下、本考案を図示例に基づいて説明すると、次の通りである。
本考案の組立包装箱は、例えば、化粧品や、薬品や、ドリンク剤や、その他の適宜商品を収納できると共に、店頭等に陳列もできるようにしたものである。
具体的には、四角筒状となる胴部と、この胴部の下部開口部分を閉鎖する底部と、胴部の上部開口部分を閉鎖する蓋部とからなる紙製の組立包装箱である。
更に、胴部は、正面板１と背面板３と左右側板２、４とを備え、蓋部は、左右側板２、４の上端縁に夫々連設される折曲片７、８と、背面板３の上端縁に連設される天板６とを備えている。
そして、正面板１の上端部中央部分には、破断予定線３２によって区画される除去片１ａを形成し、天板６の前端縁中央には、除去片１ａより小さい摘み片６ａを連設し、天板６の前端縁左右には、折目線３４を介して差込片１０を連設してある。
しかも、蓋部は、天板６が左右の折曲片７、８の上に重なって胴部の上部開口部分を塞ぐように配されて、差込片１０が正面板１の裏面がわ上部に配されると共に、摘み片６ａが除去片１ａの裏面がわに配されるように形成してある。
それから、破断予定線３２を利用して除去片１ａを除去すると、摘み片６ａが外部に露出するように形成し、この摘み片６ａは、外がわに揺動させることにより手指で摘めるように形成され、摘み片６ａを摘んだ状態のままこれを上方に強制移動せしめることで、天板６が上方に揺動して、胴部の上部開口部分を開放できるように構成したものである。
【実施例１】
【００１８】
図１乃至図６に示す組立包装箱は、例えば、紙製（或いは、合成樹脂材、或いは、複合材を利用しても良い）で、上下方向に細長い直方体状に形成されたものである。
そして、組立包装箱の胴部は、矩形状の正面板１と、この正面板１の右側端縁に折目線４０を介して連設される矩形状の右側板２と、この右側板２の後端縁に折目線４０を介して連設される矩形状の背面板３と、この背面板３の左側端縁に折目線４０を介して連設される矩形状の左側板４と、この左側板４の裏面に接着されると共に、正面板１の左側端縁に折目線４０を介して連設される糊代となる細長帯板状の接着片５とからなり、全体が四角筒状を呈している。
【００１９】
更に、正面板１の上端部中央部分には、略溝形状の破断予定線３２によって区画されると共に、破断予定線３２の破断によって正面板１から分離可能（完全に分離させるように形成しても良いし、或いは、底部がわの一部が分離しないように形成してあっても良い。）となるような矩形状の除去片１ａが形成されている。尚、破断予定線３２は、例えば、破線状の切込線によって構成されている。
しかも、除去片１ａの上端縁は、上方に向って僅かに湾出するような円弧状に形成され、その中央上部が後述する蓋部の上天板９の上面より僅かに突出するように形成されている。すなわち、上天板９の上面より僅かに突出している除去片１ａの中央上部に、指先を掛け易く形成してあり、破断予定線３２の破断がより簡単に且つスムーズに行えるように形成してある。尚、除去片１ａの上端縁は、切込線３１ａによって形成されている。
【００２０】
また、組立包装箱の蓋部は、正面板１の上端縁に破断予定線３１及び切込線３１ａを介して連設される矩形状の上天板９と、右側板２の上端縁に折目線３０を介して連設される台形状の折曲片７と、背面板３の上端縁に折目線３０及び差込用切込線３３を介して連設される矩形状の天板６と、左側板４の上端縁に折目線３０を介して連設される台形状の折曲片８とで構成されている。
尚、破断予定線３１は、図示例のように略へ字状の切込線を配して僅かな切残し部分を残すように構成したものでも良いし、或いは、ミシン目状の切込線でも良いし、その他適宜自由に設定、変更できるものである。
【００２１】
そして、天板６の前端縁中央には、除去片１ａより小さくなるような（除去片１ａの幅以下で且つ除去片１ａの高さより短い）舌片状（或いは、その他の形状でも良い）の摘み片６ａが折目線３５を介して連設してあり、天板６の前端縁左右には、摘み片６ａを囲むような溝形状の差込片１０（１０ａ）が折目線３４を介して連設してある。すなわち、摘み片６ａと差込片１０（１０ａ）は、円弧状の切込線３６によって分離されるように形成してある。
前記差込片１０（１０ａ）は、胴部の上部開口部分の正面板１がわに差込まれるようになると共に、正面板１の裏面上部に配されるように形成されている。すなわち、一旦開蓋された蓋部によって上部開口部分を繰返し閉じると共に、その閉じた状態を維持することができるように形成されている。
前記摘み片６ａは、天板６（蓋部）によって胴部の上部開口部分を閉じたときに、除去片１ａの裏面がわに配されるように形成されている。すなわち、摘み片６ａを外部に露出して、手指で摘むには、除去片１ａを除去しなければならないように形成してある。
【００２２】
更に、上天板９の後端縁中央部分には、折目線３７を介して半円状（或いは、その他の形状でも良い）の差込片９ａが連設されており、この差込片９ａは、背面板３と天板６とを連設する左右の折目線３０の間に形成された差込用切込線３３に差込み係止可能となるように形成されている。尚、差込用切込線３３は、略Ｔ字状（或いは、直線状でも良い）に形成してあり、差込片９ａがスムーズに差込み係止できるように形成してある。
【００２３】
しかして、蓋部は、折曲片７が胴部の上部開口部分の右側板２がわ約半分を塞ぐように配され、折曲片８が胴部の上部開口部分の左側板４がわ約半分を塞ぐように配される。次に、天板６が折曲片７、８の上に重なって胴部の上部開口部分を塞ぐように配され、差込片１０（１０ａ）が正面板１の裏面がわ上部に配されると共に、摘み片６ａが除去片１ａの裏面がわに配される。そして、上天板９が天板６の上に重なるように配されると共に、差込片９ａが差込用切込線３３に差込み係止されている。しかも、上天板９上面と背面板３表面とに跨るように封緘紙等を接着することで、これらの重合状態が確実に維持されるように構成されている。
ところで、封緘紙を設ける代わりに、上天板９と天板６とを接着しても良い。このとき、差込片９ａと差込用切込線３３は設けなくても良い。
【００２４】
すなわち、組立包装箱の蓋部は、破断予定線３２を破断して除去片１ａを除去すると、摘み片６ａが外部に露出するように形成されており、この摘み片６ａは、外がわに揺動させることにより手指で摘めるように形成され、摘み片６ａを摘んだ状態のままこれを上方に強制移動せしめることで、天板６が上方に揺動すると共に、上天板９を破断予定線３１で破断させて、胴部の上部開口部分が開放できるように構成されている。
【００２５】
尚、除去片１ａの破断予定線３２を破断した後（更に、摘み片６ａを外がわに揺動せしめた後）に形成される正面板１の上部中央の空間は、指先（例えば、親指の指先、或いは人差し指の指先）の一部が入り込める大きさとなるように形成されている。すなわち、除去片１ａの破断予定線３２を破断し、露出した摘み片６ａを外がわに揺動せしめた後に形成される正面板１の上部中央の空間に、指先の一部が損傷することなくよりスムーズに入るようになり、手指で摘み片６ａと一緒に蓋部（天板６及び上天板９）の一部も簡単に摘めて、指先に力を加え易くなって上天板９の破断予定線３１をよりスムーズに破断させて、開蓋が行えるように構成されている。
【００２６】
更に、組立包装箱の底部は、正面板１の下端縁に折目線４１を介して連設される三角形状の前底片２０と、背面板３の下端縁に折目線４１を介して連設される三角形状の後底片２２と、右側板２の下端縁に折目線４１を介して連設される台形状の右底片２１と、左側板４の下端縁に折目線４１を介して連設される台形状の左底片２３とからなり、前底片２０の斜辺に折目線４２を介して連設した五角形状の接着片２４を、右底片２１の下面所定位置に接着し、後底片２２の斜辺に折目線４２を介して連設した五角形状の接着片２５を、左底片２３の下面所定位置に接着することで構成されている。すなわち、この底部は、筒部と共に折畳み可能となるように形成されている。
尚、組立包装箱の底部の構成は、図示例のものに限定されることなく、適宜自由に設定、変更できるものである。
【００２７】
ところで、図７、図８に示す組立包装箱は、前述した組立包装箱（図１〜図６に示す組立包装箱）に於ける差込片１０（１０ａ）と摘み片６ａの構成を変更したもので、具体的には、天板６の前端縁中央には、除去片１ａより小さくなるような（除去片１ａの幅以下で且つ除去片１ａの高さより短い）矩形状（或いは、その他の形状でも良い）の摘み片６ａが折目線３５を介して連設され、天板６の前端縁左右には、矩形状の左右差込片１０（１０ｂ）が折目線３４を介して連設されたものである。しかも、摘み片６ａと左右の差込片１０（１０ｂ）は、切込線３８を介して分離されている。
そして、前記差込片１０（１０ｂ）は、胴部の上部開口部分の正面板１がわに差込まれるようになると共に、正面板１の裏面上部に配されるように形成されている。すなわち、一旦開蓋された蓋部によって上部開口部分を繰返し閉じると共に、その閉じた状態を維持することができるように形成されている。
【実施例２】
【００２８】
また、図９乃至図１２に示す組立包装箱は、例えば、紙製（或いは、合成樹脂材、或いは、複合材を利用しても良い）で、略偏平な直方体状に形成されたものである。
そして、組立包装箱の胴部は、横長矩形状の正面板１と、この正面板１の右側端縁に折目線４０を介して連設される横長矩形状の右側板２と、正面板１の左側端縁に折目線４０を介して連設される横長矩形状の左側板４と、この左側板４の後端縁に折目線４０を介して連設される横長矩形状の背面板３と、右側板２の裏面に接着されると共に、背面板３の右側端縁に折目線４０を介して連設される糊代となる帯板状の接着片５とからなり、全体がかなり短い四角筒状を呈している。
【００２９】
更に、正面板１の上端部中央部分には、略溝形状の破断予定線３２によって区画されると共に、破断予定線３２の破断によって正面板１から分離可能（完全に分離させるように形成しても良いし、或いは、底部がわの一部が分離しないように形成してあっても良い。）となるような矩形状の除去片１ａが形成されている。尚、破断予定線３２は、例えば、略く字状（或いは、破線状）の切込線を配して僅かな切残し部分を残すように構成したものでも良いし、或いは、ミシン目状の切込線でも良いし、その他適宜自由に設定、変更できるものである。
尚、除去片１ａの上端縁は、上方に向って僅かに湾出するような円弧状に形成してあっても良い。
【００３０】
そして、正面板１の上端縁には、折目線３０を介して横長矩形状の折返片１１が連設されており、この折返片１１は、正面板１の裏面がわに重なるように折返されている。すなわち、折返片１１によって正面板１の上端縁部分及び正面板１部分の強度及び剛性を高くできるように形成されている。
しかも、折返片１１の上端縁中央部分には、細長い刳り抜き部１１ａが形成され、この刳り抜き部１１ａを介して、摘み片６ａが除去片１ａの裏面がわに配置できるように形成されている。
【００３１】
また、組立包装箱の蓋部は、背面板３の上端縁に折目線３０を介して連設される矩形状の天板６と、右側板２の上端縁に折目線３０を介して連設される矩形状の折曲片７と、左側板４の上端縁に折目線３０を介して連設される矩形状の折曲片８とで構成されている。
【００３２】
そして、天板６の前端縁中央には、除去片１ａより小さくなるような（除去片１ａの幅以下で且つ除去片１ａの高さより短い）矩形状（或いは、その他の形状でも良い）の摘み片６ａが折目線３５を介して連設してあり、天板６の前端縁左右には、摘み片６ａを囲むような溝形状の差込片１０（１０ａ）が折目線３４を介して連設してある。すなわち、摘み片６ａと差込片１０（１０ａ）は、溝形状の切込線３６によって分離されるように形成してある。
前記差込片１０（１０ａ）は、胴部の上部開口部分の正面板１がわに差込まれるようになると共に、正面板１（折返片１１）の裏面上部に配されるように形成されている。すなわち、一旦開蓋された蓋部によって上部開口部分を繰返し閉じると共に、その閉じた状態を維持することができるように形成されている。
前記摘み片６ａは、天板６（蓋部）によって胴部の上部開口部分を閉じたときに、刳り抜き部１１ａを介して除去片１ａの裏面がわに配されるように形成されている。すなわち、摘み片６ａを外部に露出して、手指で摘むには、除去片１ａを除去しなければならないように形成してある。
【００３３】
しかして、蓋部は、折曲片７が胴部の上部開口部分の右側板２がわ約半分を塞ぐように配され、折曲片８が胴部の上部開口部分の左側板４がわ約半分を塞ぐように配される。次に、天板６が折曲片７、８の上に重なって胴部の上部開口部分を塞ぐように配され、差込片１０（１０ａ）が正面板１（折返片１１）の裏面がわ上部に配されると共に、摘み片６ａが刳り抜き部１１ａを通過して除去片１ａの裏面がわに配される。しかも、天板６上面と胴部表面とに跨るように封緘紙等を接着することで、これらの重合状態が確実に維持されるように構成しても良い。
【００３４】
更に、組立包装箱の底部は、正面板１の下端縁に折目線４１を介して連設される三角形状の前底片２０と、背面板３の下端縁に折目線４１を介して連設される三角形状の後底片２２と、右側板２の下端縁に折目線４１を介して連設される台形状の右底片２１と、左側板４の下端縁に折目線４１を介して連設される台形状の左底片２３とからなり、前底片２０の斜辺に折目線４２を介して連設した五角形状の接着片２４を、右底片２１の下面所定位置に接着し、後底片２２の斜辺に折目線４２を介して連設した五角形状の接着片２５を、左底片２３の下面所定位置に接着することで構成されている。すなわち、この底部は、筒部と共に折畳み可能となるように形成されている。
尚、組立包装箱の底部の構成は、図示例のものに限定されることなく、適宜自由に設定、変更できるものである。
【００３５】
ところで、組立包装箱の具体的構成、形状、寸法、材質、胴部の具体的構成、形状、寸法、材質、蓋部の具体的構成、形状、寸法、材質、底部の具体的構成、形状、寸法、材質、正面板１の具体的構成、形状、寸法、材質、除去片１ａの具体的構成、形状、寸法、材質、配設位置、右側板２の具体的構成、形状、寸法、材質、背面板３の具体的構成、形状、寸法、材質、左側板４の具体的構成、形状、寸法、材質、接着片５の具体的構成、形状、寸法、材質、配設位置、天板６の具体的構成、形状、寸法、材質、摘み片６ａの具体的構成、形状、寸法、材質、折曲片７の具体的構成、形状、寸法、材質、折曲片８の具体的構成、形状、寸法、材質、上天板９の具体的構成、形状、寸法、材質、差込片９ａの具体的構成、形状、寸法、材質、配設位置、数、差込片１０の具体的構成、形状、寸法、材質、配設位置、差込片１０ａの具体的構成、形状、寸法、材質、配設位置、差込片１０ｂの具体的構成、形状、寸法、材質、配設位置、折返片１１の具体的構成、形状、寸法、材質、配設位置、刳り抜き部１１ａの具体的構成、形状、寸法、配設位置、前底片２０の具体的構成、形状、寸法、材質、配設位置、右底片２１の具体的構成、形状、寸法、材質、配設位置、後底片２２の具体的構成、形状、寸法、材質、配設位置、左底片２３の具体的構成、形状、寸法、材質、配設位置、接着片２４の具体的構成、形状、寸法、材質、配設位置、接着片２５の具体的構成、形状、寸法、材質、配設位置、折目線３０の具体的構成、形状、寸法、破断予定線３１の具体的構成、形状、寸法、配設位置、切込線３１ａの具体的構成、形状、寸法、配設位置、破断予定線３２の具体的構成、形状、寸法、配設位置、差込用切込線３３の具体的構成、形状、寸法、配設位置、数、折目線３４、３５、３７、３８、４０、４１、４２の具体的構成、形状、寸法、切込線３６の具体的構成、形状、寸法、配設位置等は、図示例のもの等に限定されることなく適宜自由に設定、変更できるものである。
【産業上の利用可能性】
【００３６】
しかして、本考案の組立包装箱は、化粧品や、薬品や、ドリンク剤や、その他の適宜商品を収納でき、店頭等に陳列もでき、いたずらや不注意等によって開蓋されたものについては確実に判別でき、開蓋操作がより行い易くなり、一旦開蓋された蓋部によって上部開口部分を繰返し閉じることもできるようになる。
【符号の説明】
【００３７】
１      正面板
１ａ    除去片
２      右側板
３      背面板
４      左側板
５      接着片
６      天板
６ａ    摘み片
７      折曲片
８      折曲片
９      上天板
９ａ    差込片
１０    差込片
１０ａ  差込片
１０ｂ  差込片
１１    折返片
１１ａ  刳り抜き部
２０    前底片
２１    右底片
２２    後底片
２３    左底片
２４    接着片
２５    接着片
３０    折目線
３１    破断予定線
３１ａ  切込線
３２    破断予定線
３３    差込用切込線
３４    折目線
３５    折目線
３６    切込線
３７    折目線
３８    切込線
４０    折目線
４１    折目線
４２    折目線
【図１】
0003150880.tif 000003
【図２】
0003150880.tif 000004
【図３】
0003150880.tif 000005
【図４】
0003150880.tif 000006
【図５】
0003150880.tif 000007
【図６】
0003150880.tif 000008
【図７】
0003150880.tif 000009
【図８】
0003150880.tif 000010
【図９】
0003150880.tif 000011
【図１０】
0003150880.tif 000012
【図１１】
0003150880.tif 000013
【図１２】
0003150880.tif 000014